(57)【要約】【課題】ボルトを締める、緩めるの動作の場合、レンチを外すことが不用であり、レンチを外さずに、ボルトを締める、緩めるの動作を行うことができ、作業性と能率の良いレンチを得る。【解決手段】グリップ６とヘッド１０とで構成されたレンチ１であって、前記ヘッド１０は、固定部２、可動部３とで構成され、前記可動部には、前記可動部の回転状態を固定させる軸と、前記可動部を固定するバネが装着され、前記可動部の、対象となる６角ボルトに作用する内側の形状は、前記６角ボルトの３つの面に密着する形状であり、一方前記固定部の、対象となる６角ボルトに作用する内側の形状は、前記３つの面以外の２つの面となり、前記グリップの回転により、前記固定部と可動部との、対象となる６角ボルトへの作用点が、６角ボルトの面を介して４点であるレンチとする。【選択図】図１
2017007007.tif 000002
【特許請求の範囲】
【請求項１】
グリップとヘッドとで構成されたレンチであって、
前記ヘッドは、
固定部、
可動部とで構成され、
前記可動部には、
前記可動部の回転状態を固定させる軸と、前記可動部を固定するバネが装着され、
前記可動部の、対象となる６角ボルトに作用する内側の形状は、前記６角ボルトの３つの面に密着する形状であり、
一方前記固定部の、対象となる６角ボルトに作用する内側の形状は、前記３つの面以外の２つの面となり、
前記グリップの回転により、前記固定部と可動部との、対象となる６角ボルトへの作用点が、６角ボルトの面を介して４点であることを特徴とするレンチ。
【請求項２】
グリップとヘッドとで構成されたレンチであって、
前記ヘッドは、
固定部、
可動部とで構成され、
前記可動部には、
前記可動部の回転状態を固定させる軸と、前記可動部を固定するバネが装着され、
前記可動部の、対象となる６角ボルトに作用する内側の形状は、前記３つの面に、前記６角ボルトの頂点を保持する溝が形成され、
一方前記固定部の、対象となる６角ボルトに作用する内側の形状は、前記前記６角ボルトの頂点を保持する溝が形成され、
前記グリップの回転により、前記固定部と可動部との、対象となる６角ボルトへの作用点が、６角ボルトの頂点を介して４点であることを特徴とするレンチ。
【発明の詳細な説明】
【技術分野】
【０００１】
本発明は、６角ボルトに対する作用点が、４個所あり、６角ボルトを締める、緩めるの動作において、レンチを外すことが不用であって、構造が簡単で、装着状態が良好なレンチに関する。
【背景技術】
【０００２】
従来のレンチについては、各種、公開特許が公開されている。特許文献１には、固定あごと、往復移動可能に設けた可動あごの間に、ナットを保持して締めつける、あるいは緩める作業を行う、レンチについて記載されている。
特許文献２には、ラチエット調節可能な下側ジョー部材と、移動可能な上側ジョー部材とを備えるレンチについて、記載されている。
【先行技術文献】
【特許文献】
【０００３】
【特許文献１】特開２００３−３４０７３４号公報
【特許文献２】特表２００５−５２３８２６号公報
【発明の概要】
【発明が解決しようとする課題】
【０００４】
従来のレンチは、六角ボルトに、レンチのヘッドを取り付け、あるいは、取り外しに、時間がかかり、作業性が悪いという問題点があった。
【０００５】
本発明の課題は、ボルトを締める、緩めるの動作において、レンチを外すことが不用であって、レンチを外さずに、ボルトを締める、緩めるの動作を行うことができ、作業性と能率の良いレンチを提供することである。
【課題を解決するための手段】
【０００６】
本発明の請求項１に係るレンチは、グリップとヘッドとで構成されたレンチであって、
前記ヘッドは、固定部、可動部とで構成され、前記可動部には、前記可動部の回転状態を固定させる軸と、前記可動部を固定するバネが装着され、前記可動部の、対象となる６角ボルトに作用する内側の形状は、前記６角ボルトの３つの面に密着する形状であり、一方前記固定部の、対象となる６角ボルトに作用する内側の形状は、前記３つの面以外の２つの面となり、前記グリップの回転により、前記固定部と可動部との、対象となる６角ボルトへの作用点が、６角ボルトの面を介して４点であることを特徴とするレンチである。
【０００７】
本発明の請求項２に係るレンチは、グリップとヘッドとで構成されたレンチであって、
前記ヘッドは、固定部、可動部とで構成され、前記可動部には、前記可動部の回転状態を固定させる軸と、前記可動部を固定するバネが装着され、前記可動部の、対象となる６角ボルトに作用する内側の形状は、前記３つの面に、前記６角ボルトの頂点を保持する溝が形成され、一方前記固定部の、対象となる６角ボルトに作用する内側の形状は、前記前記６角ボルトの頂点を保持する溝が形成され、、前記グリップの回転により、前記固定部と可動部との、対象となる６角ボルトへの作用点が、６角ボルトの頂点を介して４点であることを特徴とするレンチである。
【発明の効果】
【０００８】
本発明の請求項１のレンチによれば、レンチを外さずに、ボルトを締める、緩めるの動作を行うことができ、作業性と能率の良いレンチを提供できる。
【０００９】
本発明の請求項２のレンチによれば、レンチを外さずに、ボルトを締める、緩めるの動作を行うことができ、作業性と能率の良いレンチを提供できる。
【００１０】
本発明によれば、ボルトを締める、緩めるの動作の場合、レンチを外すことが不用であって、レンチを外さずに、ボルトを締める、緩めるの動作を行うことができ、作業性と能率の良いレンチを提供できる。
【図面の簡単な説明】
【００１１】
【図１】実施例１のレンチの図。
【図２】実施例２のレンチの図。図２(ａ)は、ヘッド部が、６角相当の場合のレンチ図２（ｂ）は、ヘッド部が、１２角相当の場合のレンチの図。
【図３】実施例３のレンチの図。
【図４】実施例４のレンチの図。
【発明を実施するための形態】
【００１２】
本発明の実施の形態によるレンチは、グリップとヘッドとで構成されたレンチであって、
前記ヘッドは、固定部、可動部とで構成され、前記可動部には、前記可動部の回転状態を固定させる軸と、前記可動部を固定するバネが装着され、前記可動部の、対象となる６角ボルトに作用する内側の形状は、前記６角ボルトの３つの面に密着する形状であり、一方前記固定部の、対象となる６角ボルトに作用する内側の形状は、前記３つの面以外の２つの面となり、前記グリップの回転により、前記固定部と可動部との、対象となる６角ボルトへの作用点が、６角ボルトの面を介して４点であることを特徴とするレンチである。
【００１３】
本発明の実施の形態によるレンチは、グリップとヘッドとで構成されたレンチであって、
前記ヘッドは、固定部、可動部とで構成され、前記可動部には、前記可動部の回転状態を固定させる軸と、前記可動部を固定するバネが装着され、前記可動部の、対象となる６角ボルトに作用する内側の形状は、前記３つの面に、前記６角ボルトの頂点を保持する溝が形成され、一方前記固定部の、対象となる６角ボルトに作用する内側の形状は、前記前記６角ボルトの頂点を保持する溝が形成され、、前記グリップの回転により、前記固定部と可動部との、対象となる６角ボルトへの作用点が、６角ボルトの頂点を介して４点であることを特徴とするレンチである。
【００１４】
（実施例１）
図１は、実施例１のレンチの図である。レンチ１は、ヘッド部１０とグリップ６とで構成されており、前記ヘッド部は、固定部２と、可動部３とで構成されている。前記可動部３は、回転軸４により固定され、かつ回転可能であり、バネ５により一方向に固定されている。３１は、外側方向に回転した可動部を示す。
【００１５】
ボルトを締める、緩めるの動作の場合、レンチを外すことが不用であり、レンチを外さずに、ボルトを締める、緩めるの動作を行うことができ
【００１６】
（実施例２）
図２は、実施例２のレンチの図で、図２(ａ)は、ヘッド部が、６角相当の場合のレンチ
図２（ｂ）は、ヘッド部が、１２角相当の場合のレンチの図である。
図２（ａ）のヘッド部が、６角相当の場合のレンチでは、内側面７が、合計５面形成されている。この場合、力は、図中のＡとＢと回転軸４にかかる。
一方、図２（ｂ）のヘッド部が、１２角相当の場合のレンチの図では、先の内側面の
ほぼ中央部にＶ字状溝８が形成され、前記Ｖ字状溝８に、六角ボルト２０の角が収まる。
なお、図２（ｂ）のヘッド部が、１２角相当の場合のレンチでは、力が、ＡとＢと回転軸４、または回転軸４だけにかかる。
【００１７】
また、作用点Ａの長さは、Ｍ２４のレンチで、約１ｍｍ短くなる。しかし、ボルトの仮締めには、問題とならない。本レンチは、垂直方向からのセットも、容易であることが特徴である。
【００１８】
なお、図４（ｂ）は、図２（ｂ）において、六角ボルトをはずした場合の図である。
【００１９】
（実施例３）
図３は、実施例３のレンチの図である。
図３のレンチは、対象となる６角ボルトの平面方向に、あるいはナットの軸方向の垂直方向に、レンチを垂直方向からセットしやすくする形状であり、角コーナ部に、少し大き目のＲを施した形状である。
【００２０】
（実施例４）
図４は、実施例４のレンチの図である。図４（ａ）は、ヘッド部の角を６相当とし、図４（ｂ）は、ヘッド部の角を１２相当とした形状である。
図４（ｂ）の、ヘッド部の角を１２相当とした場合は、セット時の移動距離が、半分となり、レンチのセットが容易となる特徴がある。
図４（ｂ）では、メイン作用点Ａ，Ｂが作用しない位置がある。
また、作用点Ａの長さが、少し短くなる。（角６相当の場合は、ボルト、ナットの一辺の三分の一程度としている。）
特徴
作用点が４つある。
カチッとハマリ、セット感、安心感がある。
構造が、比較的シンプルである。
装着が容易である。
【産業上の利用可能性】
【００２１】
本発明によれば、ボルトを締める、緩めるの動作の場合、レンチを外すことが不用であり、レンチを外さずに、ボルトを締める、緩めるの動作を行うことができ、作業性と能率の良いレンチを提供できる。
【符号の説明】
【００２２】
１  レンチ
２  固定部
３  可動部
３１  解放方向に回転した可動部
４  回転軸
５  バネ
６  グリップ
７  内側面
８  Ｖ字状溝
１０  ヘッド部
２０    六角ボルト
Ａ，Ｂ  作用点
【図１】
2017007007.tif 000003
【図２】
2017007007.tif 000004
【図３】
2017007007.tif 000005
【図４】
2017007007.tif 000006
【手続補正書】
【提出日】平成27年7月3日(2015.7.3)
【手続補正１】
【補正対象書類名】図面
【補正対象項目名】図２
【補正方法】変更
【補正の内容】
【図２】
2017007007.tif 000007